(57)【特許請求の範囲】
【請求項１】
昇降方向が屈曲する階段が取り付けられている躯体の出隅と、踏面が前記出隅の頂部に隣接する踏板との境界部分を覆うコーナー構造であって、
前記出隅と前記踏板に段鼻を設けて取り付けられている蹴込板の１段上の蹴込板側との間に配され、前記躯体の前記出隅の頂部より階上側の躯体面と前記踏板の上面との境界部分を覆う階上側見切り部と、
該階上側見切り部の前記出隅の側の端部にＬ字状に突き合わされ、前記出隅と前記段鼻との間に配され、前記躯体の前記出隅の頂部より階下側の躯体面と前記踏板の上面との境界部分を覆う階下側見切り部と
を一体的に有するコーナー部材を備え、
前記階下側見切り部の前記段鼻の側の端部にＬ字状に突き合わされ、前記段鼻よりも下方へ垂下し、前記段鼻と前記階下側の躯体面との境界部分を覆う段鼻見切り材と、
該段鼻見切り材と前記踏板に取り付けられている蹴込板との間に配され、前記躯体と前記踏板の下面及び前記蹴込板夫々との境界部分を覆う被覆部材と
を備え、
前記蹴込板は、前記階上側の躯体面に隣接し、
前記被覆部材は、
前記出隅と前記蹴込板との間に配され、前記階上側の躯体面と前記踏板の下面及び前記蹴込板夫々との境界部分を覆う階上側被覆部材と、
該階上側被覆部材の前記出隅の側の端部にＬ字状に突き合わされ、前記出隅と前記段鼻見切り材の間に配され、前記階下側の躯体面と前記踏板の下面との境界部分を覆う階下側被覆部材と
を有することを特徴とする階段のコーナー構造。
【請求項２】
昇降方向が屈曲する階段が取り付けられている躯体の出隅と、踏面が前記出隅の頂部に隣接する踏板との境界部分を覆うコーナー構造であって、
前記出隅と前記踏板に段鼻を設けて取り付けられている蹴込板の１段上の蹴込板側との間に配され、前記躯体の前記出隅の頂部より階上側の躯体面と前記踏板の上面との境界部分を覆う階上側見切り部と、
該階上側見切り部の前記出隅の側の端部にＬ字状に突き合わされ、前記出隅と前記段鼻との間に配され、前記躯体の前記出隅の頂部より階下側の躯体面と前記踏板の上面との境界部分を覆う階下側見切り部と
を一体的に有するコーナー部材を備え、
前記階下側見切り部の前記段鼻の側の端部にＬ字状に突き合わされ、前記段鼻よりも下方へ垂下し、前記段鼻と前記階下側の躯体面との境界部分を覆う段鼻見切り材と、
該段鼻見切り材と前記踏板に取り付けられている蹴込板との間に配され、前記躯体と前記踏板の下面及び前記蹴込板夫々との境界部分を覆う被覆部材と
を備え、
前記段鼻の先端面は、
前記段鼻見切り材に全面的に接触する接触端面と、
該接触端面に対して傾斜し、前記段鼻見切り材に接触しない非接触面と
を有することを特徴とする階段のコーナー構造。
【請求項３】
前記蹴込板は、前記階上側の躯体面に隣接し、
前記被覆部材は、
前記出隅と前記蹴込板との間に配され、前記階上側の躯体面と前記踏板の下面及び前記蹴込板夫々との境界部分を覆う階上側被覆部材と、
該階上側被覆部材の前記出隅の側の端部にＬ字状に突き合わされ、前記出隅と前記段鼻見切り材の間に配され、前記階下側の躯体面と前記踏板の下面との境界部分を覆う階下側被覆部材と
を有することを特徴とする請求項２に記載の階段のコーナー構造。
【請求項４】
前記階下側見切り部の前記段鼻の側の端部は前記段鼻から突出し、
前記段鼻見切り材は前記階下側見切り部の突出部の下側に突き合わされ、
前記突出部の突出方向端面を化粧する化粧部材を更に備えることを特徴とする請求項１乃至３の何れか一項に記載の階段のコーナー構造。
【請求項５】
昇降方向が屈曲する階段が取り付けられている躯体の出隅と、踏面が前記出隅の頂部に隣接する踏板との境界部分を覆うコーナー構造を施工する施工方法であって、
２個の棒状部をＬ字状に一体的に有するＬ字状部材の各棒状部を切断して、階上側見切り部及び階下側見切り部をＬ字状に一体的に有するコーナー部材を準備し、
前記階上側見切り部を前記出隅と前記踏板に段鼻を設けて取り付けられている蹴込板の１段上の蹴込板側との間に配し、
前記階上側見切り部で、前記躯体の前記出隅の頂部より階上側の躯体面と前記踏板の上面との境界部分を覆い、
前記階下側見切り部を前記階上側見切り部の前記出隅の側の端部にＬ字状に突き合わせて前記出隅と前記段鼻との間に配し、
前記階下側見切り部で、前記躯体の前記出隅の頂部より階下側の躯体面と前記踏板の上面との境界部分を覆い、
前記踏板に取り付けられている蹴込板は、前記階上側の躯体面に隣接し、
段鼻見切り材を準備し、
該段鼻見切り材を、前記階下側見切り部の前記段鼻の側の端部にＬ字状に突き合わせ、前記段鼻よりも下方へ垂下させ、前記段鼻見切り材で、前記段鼻と前記階下側の躯体面との境界部分を覆い、
階上側被覆部材と階下側被覆部材とを有する被覆部材を準備し、
前記階上側被覆部材を、前記出隅と前記蹴込板との間に配し、前記階上側被覆部材で、前記階上側の躯体面と前記踏板の下面及び前記蹴込板夫々との境界部分を覆い、前記階下側被覆部材を、前記階上側被覆部材の前記出隅の側の端部にＬ字状に突き合わせ、前記出隅と前記段鼻見切り材の間に配し、前記階下側被覆部材で、前記階下側の躯体面と前記踏板の下面との境界部分を覆うことによって、前記被覆部材を、前記段鼻見切り材と前記蹴込板との間に配し、前記被覆部材で、前記躯体と前記踏板の下面及び前記蹴込板夫々との境界部分を覆うことを特徴とする階段のコーナー構造の施工方法。
【請求項６】
昇降方向が屈曲する階段が取り付けられている躯体の出隅と、踏面が前記出隅の頂部に隣接する踏板との境界部分を覆うコーナー構造を施工する施工方法であって、
２個の棒状部をＬ字状に一体的に有するＬ字状部材の各棒状部を切断して、階上側見切り部及び階下側見切り部をＬ字状に一体的に有するコーナー部材を準備し、
前記階上側見切り部を前記出隅と前記踏板に段鼻を設けて取り付けられている蹴込板の１段上の蹴込板側との間に配し、
前記階上側見切り部で、前記躯体の前記出隅の頂部より階上側の躯体面と前記踏板の上面との境界部分を覆い、
前記階下側見切り部を前記階上側見切り部の前記出隅の側の端部にＬ字状に突き合わせて前記出隅と前記段鼻との間に配し、
前記階下側見切り部で、前記躯体の前記出隅の頂部より階下側の躯体面と前記踏板の上面との境界部分を覆い、
前記段鼻の先端面は、接触端面と、該接触端面に対して傾斜している非接触面とを有し、
段鼻見切り材及び被覆部材を準備し、
前記段鼻見切り材を、前記階下側見切り部の前記段鼻の側の端部にＬ字状に突き合わせ、前記段鼻よりも下方へ垂下させ、前記接触端面に全面的に接触させ、前記非接触面に接触させず、前記段鼻見切り材で、前記段鼻と前記階下側の躯体面との境界部分を覆い、
前記被覆部材を、前記段鼻見切り材と前記踏板に取り付けられている蹴込板との間に配し、前記被覆部材で、前記躯体と前記踏板の下面及び前記蹴込板夫々との境界部分を覆うことを特徴とする階段のコーナー構造の施工方法。
【発明の詳細な説明】
【技術分野】
【０００１】
本発明は、昇降方向が屈曲する階段のコーナー構造及び階段のコーナー構造の施工方法に関する。
【背景技術】
【０００２】
階段の巾木構造は、階段が取り付けられている躯体と、階段を構成する踏板及び蹴込板夫々との境界部分を覆う（特許文献１参照）。
特許文献１に記載されている巾木構造は、横巾木（文中「上面巾木部」）と第１及び第２の縦巾木（文中「垂直巾木部」及び「縦巾木」）とを備える。横巾木は、踏板の段鼻から階上側の蹴込板に亘って配され、躯体と踏板の上面との境界部分を覆う。第１の縦巾木は、段鼻から階下側の踏板に向けて垂下し、躯体と段鼻との境界部分を覆う。第２の縦巾木は、第１の縦巾木から蹴込板に亘って配され、躯体と踏板の下面及び蹴込板夫々との境界部分を覆う。
【０００３】
巾木構造は、階段の意匠性の向上、及び、躯体と踏板及び蹴込板夫々との境界部分における躯体の保護等に寄与する。
【先行技術文献】
【特許文献】
【０００４】
【特許文献１】特開２０１０−２８１０７７号公報
【発明の概要】
【発明が解決しようとする課題】
【０００５】
ところで、廻り階段又は折れ階段等は昇降方向が直角に屈曲する。従って、階段のコーナー部分における躯体は、90°の出隅を有する。
しかしながら、特許文献１の場合、適当な長さに切断した２個の横巾木を個別に出隅に配しているので、施工性が悪い。
【０００６】
本発明は斯かる事情に鑑みてなされたものであり、その主たる目的は、施工性を向上させることができる階段のコーナー構造及び階段のコーナー構造の施工方法を提供することにある。
【課題を解決するための手段】
【０００７】
本発明に係る階段のコーナー構造は、昇降方向が屈曲する階段が取り付けられている躯体の出隅と、踏面が前記出隅の頂部に隣接する踏板との境界部分を覆うコーナー構造であって、前記出隅と前記踏板に段鼻を設けて取り付けられている蹴込板の１段上の蹴込板側との間に配され、前記躯体の前記出隅の頂部より階上側の躯体面と前記踏板の上面との境界部分を覆う階上側見切り部と、該階上側見切り部の前記出隅の側の端部にＬ字状に突き合わされ、前記出隅と前記段鼻との間に配され、前記躯体の前記出隅の頂部より階下側の躯体面と前記踏板の上面との境界部分を覆う階下側見切り部とを一体的に有するコーナー部材を備え、前記階下側見切り部の前記段鼻の側の端部にＬ字状に突き合わされ、前記段鼻よりも下方へ垂下し、前記段鼻と前記階下側の躯体面との境界部分を覆う段鼻見切り材と、該段鼻見切り材と前記踏板に取り付けられている蹴込板との間に配され、前記躯体と前記踏板の下面及び前記蹴込板夫々との境界部分を覆う被覆部材とを備え、前記蹴込板は、前記階上側の躯体面に隣接し、前記被覆部材は、前記出隅と前記蹴込板との間に配され、前記階上側の躯体面と前記踏板の下面及び前記蹴込板夫々との境界部分を覆う階上側被覆部材と、該階上側被覆部材の前記出隅の側の端部にＬ字状に突き合わされ、前記出隅と前記段鼻見切り材の間に配され、前記階下側の躯体面と前記踏板の下面との境界部分を覆う階下側被覆部材とを有することを特徴とする。
【０００８】
本発明に係る階段のコーナー構造は、昇降方向が屈曲する階段が取り付けられている躯体の出隅と、踏面が前記出隅の頂部に隣接する踏板との境界部分を覆うコーナー構造であって、前記出隅と前記踏板に段鼻を設けて取り付けられている蹴込板の１段上の蹴込板側との間に配され、前記躯体の前記出隅の頂部より階上側の躯体面と前記踏板の上面との境界部分を覆う階上側見切り部と、該階上側見切り部の前記出隅の側の端部にＬ字状に突き合わされ、前記出隅と前記段鼻との間に配され、前記躯体の前記出隅の頂部より階下側の躯体面と前記踏板の上面との境界部分を覆う階下側見切り部とを一体的に有するコーナー部材を備え、前記階下側見切り部の前記段鼻の側の端部にＬ字状に突き合わされ、前記段鼻よりも下方へ垂下し、前記段鼻と前記階下側の躯体面との境界部分を覆う段鼻見切り材と、該段鼻見切り材と前記踏板に取り付けられている蹴込板との間に配され、前記躯体と前記踏板の下面及び前記蹴込板夫々との境界部分を覆う被覆部材とを備え、前記段鼻の先端面は、前記段鼻見切り材に全面的に接触する接触端面と、該接触端面に対して傾斜し、前記段鼻見切り材に接触しない非接触面とを有することを特徴とする。
【０００９】
本発明に係る階段のコーナー構造は、前記蹴込板は、前記階上側の躯体面に隣接し、前記被覆部材は、前記出隅と前記蹴込板との間に配され、前記階上側の躯体面と前記踏板の下面及び前記蹴込板夫々との境界部分を覆う階上側被覆部材と、該階上側被覆部材の前記出隅の側の端部にＬ字状に突き合わされ、前記出隅と前記段鼻見切り材の間に配され、前記階下側の躯体面と前記踏板の下面との境界部分を覆う階下側被覆部材とを有することを特徴とする。
【００１１】
本発明に係る階段のコーナー構造は、前記階下側見切り部の前記段鼻の側の端部は前記段鼻から突出し、前記段鼻見切り材は前記階下側見切り部の突出部の下側に突き合わされ、前記突出部の突出方向端面を化粧する化粧部材を更に備えることを特徴とする。
【００１２】
本発明に係る階段のコーナー構造の施工方法は、昇降方向が屈曲する階段が取り付けられている躯体の出隅と、踏面が前記出隅の頂部に隣接する踏板との境界部分を覆うコーナー構造を施工する施工方法であって、２個の棒状部をＬ字状に一体的に有するＬ字状部材の各棒状部を切断して、階上側見切り部及び階下側見切り部をＬ字状に一体的に有するコーナー部材を準備し、前記階上側見切り部を前記出隅と前記踏板に段鼻を設けて取り付けられている蹴込板の１段上の蹴込板側との間に配し、前記階上側見切り部で、前記躯体の前記出隅の頂部より階上側の躯体面と前記踏板の上面との境界部分を覆い、前記階下側見切り部を前記階上側見切り部の前記出隅の側の端部にＬ字状に突き合わせて前記出隅と前記段鼻との間に配し、前記階下側見切り部で、前記躯体の前記出隅の頂部より階下側の躯体面と前記踏板の上面との境界部分を覆い、前記踏板に取り付けられている蹴込板は、前記階上側の躯体面に隣接し、段鼻見切り材を準備し、該段鼻見切り材を、前記階下側見切り部の前記段鼻の側の端部にＬ字状に突き合わせ、前記段鼻よりも下方へ垂下させ、前記段鼻見切り材で、前記段鼻と前記階下側の躯体面との境界部分を覆い、階上側被覆部材と階下側被覆部材とを有する被覆部材を準備し、前記階上側被覆部材を、前記出隅と前記蹴込板との間に配し、前記階上側被覆部材で、前記階上側の躯体面と前記踏板の下面及び前記蹴込板夫々との境界部分を覆い、前記階下側被覆部材を、前記階上側被覆部材の前記出隅の側の端部にＬ字状に突き合わせ、前記出隅と前記段鼻見切り材の間に配し、前記階下側被覆部材で、前記階下側の躯体面と前記踏板の下面との境界部分を覆うことによって、前記被覆部材を、前記段鼻見切り材と前記蹴込板との間に配し、前記被覆部材で、前記躯体と前記踏板の下面及び前記蹴込板夫々との境界部分を覆うことを特徴とする。
本発明に係る階段のコーナー構造の施工方法は、昇降方向が屈曲する階段が取り付けられている躯体の出隅と、踏面が前記出隅の頂部に隣接する踏板との境界部分を覆うコーナー構造を施工する施工方法であって、２個の棒状部をＬ字状に一体的に有するＬ字状部材の各棒状部を切断して、階上側見切り部及び階下側見切り部をＬ字状に一体的に有するコーナー部材を準備し、前記階上側見切り部を前記出隅と前記踏板に段鼻を設けて取り付けられている蹴込板の１段上の蹴込板側との間に配し、前記階上側見切り部で、前記躯体の前記出隅の頂部より階上側の躯体面と前記踏板の上面との境界部分を覆い、前記階下側見切り部を前記階上側見切り部の前記出隅の側の端部にＬ字状に突き合わせて前記出隅と前記段鼻との間に配し、前記階下側見切り部で、前記躯体の前記出隅の頂部より階下側の躯体面と前記踏板の上面との境界部分を覆い、前記段鼻の先端面は、接触端面と、該接触端面に対して傾斜している非接触面とを有し、段鼻見切り材及び被覆部材を準備し、前記段鼻見切り材を、前記階下側見切り部の前記段鼻の側の端部にＬ字状に突き合わせ、前記段鼻よりも下方へ垂下させ、前記接触端面に全面的に接触させ、前記非接触面に接触させず、前記段鼻見切り材で、前記段鼻と前記階下側の躯体面との境界部分を覆い、前記被覆部材を、前記段鼻見切り材と前記踏板に取り付けられている蹴込板との間に配し、前記被覆部材で、前記躯体と前記踏板の下面及び前記蹴込板夫々との境界部分を覆うことを特徴とする。
【００１３】
本発明にあっては、Ｌ字状に配された階上側見切り材及び階下側見切り材が、躯体の出隅と踏板の上面との境界部分を被覆する。コーナー部材は、階上側見切り材及び階下側見切り材を一体的に有する。換言すれば、従来の２個の横巾木に対応するものが、１部材で構成されている。
【００１４】
本発明にあっては、段鼻見切り材及び被覆部材が、躯体と段鼻、踏板の下面、及び蹴込板夫々との境界部分を被覆する。
【００１５】
本発明にあっては、Ｌ字状に配された階上側被覆部材及び階下側被覆部材が、躯体の出隅と踏板の下面及び蹴込板夫々との境界部分を被覆する。
【００１６】
本発明にあっては、段鼻見切り材が段鼻に対して面状に接しているので、線状又は点状に接している場合とは異なり、段鼻見切り材と段鼻との間に空隙が生じない。故に、この空隙を通して、階段のコーナー構造を構成する部材の非化粧部分が見えてしまうことが抑制される。従って、階段の美観が向上する。
【００１７】
本発明にあっては、化粧部材が階下側見切り部を化粧し、段鼻見切り材は階下側見切り部の下側に配される。故に、階下側見切り部と段鼻見切り材との突き合わせ部分において、階下側見切り部又は段鼻見切り材の非化粧部分が見えてしまうことが抑制される。従って、階段の美観が向上する。
【００１８】
本発明にあっては、Ｌ字状部材を切断して、コーナー部材を準備する。このとき、Ｌ字状部材、躯体、踏板、又は蹴込板等に対して複雑な加工を行なう必要がない。
故に、階段のコーナー構造を構成する部材を、施工現場にて階段の形状又は寸法等に応じて容易に得ることができる。
【発明の効果】
【００１９】
本発明の階段のコーナー構造及び階段のコーナー構造の施工方法による場合、従来の２個の横巾木に相当するものが、１個のコーナー部材で構成されている。故に、躯体の出隅と踏板の上面との境界部分を、特段の問題なく被覆することができる。しかも、部品点数が減少する分、施工性を向上させることができる。
【図面の簡単な説明】
【００２０】
【図１】本発明の実施の形態１に係る階段のコーナー構造の構成を略示する斜視図である。
【図２】コーナー構造の構成を略示する平面図である。
【図３】踏面が出隅の頂部に隣接する踏板に係る見切りを略示する斜視図である。
【図４】踏板と段鼻見切り材との位置関係を示す斜視図である。
【図５】階上側見切り材及び階下側見切り材の構成を略示する斜視図である。
【図６】階上側見切り材の構成を略示する断面図である。
【図７】段鼻見切り材の構成を略示する斜視図である。
【図８】被覆部材を構成する階上側被覆部材及び階下側被覆部材を略示する斜視図である。
【図９】被覆部材の準備に必要な板状部材の構成を略示する断面図である。
【図１０】踏面が出隅の頂部に隣接する踏板以外の踏板に係る見切りを略示する斜視図である。
【図１１】横見切り材の構成を略示する斜視図である。
【図１２】第１の縦見切り材の構成を略示する斜視図である。
【図１３】第２の縦見切り材の構成を略示する斜視図である。
【図１４】本発明の実施の形態２に係る階段のコーナー構造における出隅近傍の構成を略示する斜視図である。
【図１５】踏面が出隅の頂部に隣接する踏板と段鼻見切り材との位置関係を示す斜視図である。
【図１６】本発明の実施の形態３に係る階段のコーナー構造における出隅近傍の構成を略示する斜視図である。
【図１７】階上側見切り材及び階下側見切り材の構成を略示する斜視図である。
【図１８】化粧部材の構成を略示する平面図である。
【発明を実施するための形態】
【００２１】
以下、本発明を、その実施の形態を示す図面に基づいて詳述する。以下の説明では、図において矢符で示す上下、前後、及び左右を使用する。
【００２２】
実施の形態  １．
図１及び図２は、本発明の実施の形態１に係る階段１のコーナー構造２１，２２の構成を略示する斜視図及び平面図である。
階段１は、昇降方向が屈曲する階段である。本実施の形態では、階段１が６段廻りの蹴込芯納めの廻り階段であり、階段１の上昇方向が左廻りである場合を例示する。
階段１は躯体３に取り付けられている。躯体３は階段１の中心部を構成している。
【００２３】
ここで、躯体３について説明する。
躯体３は、右面３ａ、後面３ｂ、及び左面３ｃを有する壁体である。
右面３ａ、後面３ｂ、及び左面３ｃ夫々は平坦面である。
右面３ａと後面３ｂとの交差部分は直角状の出隅３１であり、後面３ｂと左面３ｃとの交差部分は直角状の出隅３２である。
階段１を上昇する場合、使用者は、右面３ａに沿って後上方向に進み、次いで出隅３１を中心に左に曲がり、後面３ｂに沿って左上方向に進み、更に出隅３２を中心に左に曲がり、左面３ｃに沿って前上方向に進む。
【００２４】
次に、階段１について詳述する。
階段１は、各複数枚の踏板１１１，１２１，…及び蹴込板１１２，１２２，…とを備える。
【００２５】
踏板１１１，１２１，…は、この順に下から上へ配されている。
２枚の踏板１１１，１２１は階段１の階下側の直階段部分を構成しており、右面３ａに隣接している。
６枚の踏板１３１〜１８１は階段１の廻り階段部分を構成している。踏板１３１は右面３ａに隣接している。踏板１４１，１５１夫々は右面３ａ及び後面３ｂに隣接している。踏板１６１は後面３ｂに隣接している。踏板１７１，１８１夫々は後面３ｂ及び左面３ｃに隣接している。
踏板１９１は階段１の階上側の直階段部分を構成しており、左面３ｃに隣接している。
【００２６】
踏板１５１は、踏面が出隅３１の頂部に隣接している。踏板１４１は、踏板１４１の上面における踏面より奥側（蹴込板１４２側）の部分が出隅３１の頂部に隣接している。
踏板１８１は、踏面が出隅３２の頂部に隣接している。踏板１７１は、踏板１７１の上面における踏面より奥側の部分が出隅３２の頂部に隣接している。
【００２７】
蹴込板１１２，１２２，…は、踏板１１１，１２１，…に段鼻１１３，１２３，…を設けて取り付けられている。蹴込板１１２，１２２，…は踏板１１１，１２１，…に対して直交方向に取り付けられている。
蹴込板１１２〜１３２夫々は、右面３ａに直角に隣接している。
蹴込板１４２（及び蹴込板１５２）は、右面３ａ（及び後面３ｂ）に対して傾斜して隣接している。
蹴込板１６２は、後面３ｂに直角に隣接している。
蹴込板１７２（及び蹴込板１８２）は、後面３ｂ（及び左面３ｃ）に対して傾斜して隣接している。
蹴込板１９２は、左面３ｃに直角に隣接している。
【００２８】
段鼻１１３〜１３３夫々の先端面（即ち踏板１１１〜１３１の前端面）は、矩形平坦面状をなし、右面３ａに直角に隣接している。即ち、段鼻１１３〜１３３の先端面は蹴込板１１２〜１３２に平行である。同様に、段鼻１６３（及び段鼻１９３）の先端面は、後面３ｂ（及び左面３ｃ）に直角に隣接しており、蹴込板１６２（蹴込板１９２）に平行である。
【００２９】
段鼻１４３の先端面は、接触端面１４ａ及び非接触面１４ｂを有する。接触端面１４ａは矩形平坦面状をなし、右面３ａに直角に隣接している。非接触面１４ｂは接触端面１４ａの右側に隣接しており、接触端面１４ａに対して傾斜している。非接触面１４ｂは蹴込板１４２に平行である。
段鼻１５３の先端面は、接触端面１５ａ及び非接触面１５ｂを有する。接触端面１５ａは矩形平坦面状をなし、右面３ａに直角に隣接している。非接触面１５ｂは接触端面１５ａの右側に隣接しており、接触端面１５ａに対して傾斜している。非接触面１５ｂは蹴込板１５２に平行である。
【００３０】
従来の一般的な踏板は、踏板１１１〜１３１等と同様に、段鼻の先端面が蹴込板に平行であり、接触端面１４ａ，１５ａに相当するものを有していない。
工場出荷時の踏板１４１，１５１に接触端面１４ａ，１５ａが設けられていない場合、施工者が施工現場にて踏板１４１，１５１の段鼻１４３，１５３夫々の角部を切り落とすことによって、段鼻１４３，１５３夫々の先端面の一部を接触端面１４ａ，１５ａとし、残部を非接触面１４ｂ，１５ｂとすればよい。
段鼻１７３（及び段鼻１８３）先端面は、後面３ｂに隣り合う点を除けば、段鼻１４３（及び段鼻１５３）の先端面と同様の構成である。
【００３１】
なお、階段１は廻り階段に替えて吹き寄せ階段又は折れ階段等でもよく、蹴込芯納めに替えて段鼻芯納めでもよく、６段廻りに替えて例えば４段廻りでもよく、左廻りに替えて右廻りでもよい。また、躯体３は壁体のみならず柱体又は側板等でもよい。
【００３２】
次に、コーナー構造２１，２２について説明する。
コーナー構造２１は、躯体３と、踏板１３１，１４１，１５１及び蹴込板１３２，１４２，１５２夫々との境界部分を覆う。コーナー構造２１においては、後面３ｂが躯体３の出隅３１の階上側の躯体面であり、右面３ａが躯体３の出隅３１の階下側の躯体面である。
コーナー構造２２は、躯体３と、踏板１６１，１７１，１８１及び蹴込板１６２，１７２，１８２夫々との境界部分を覆う。コーナー構造２２においては、左面３ｃが躯体３の出隅３２の階上側の躯体面であり、後面３ｂが躯体３の出隅３２の階下側の躯体面である。
コーナー構造２２は、コーナー構造２１を90°左回転させたものに相当する。従って、以下ではコーナー構造２１について詳述し、コーナー構造２２についての詳述を省略する。
【００３３】
コーナー構造２１は、階上側見切り材４１（階上側見切り部）、階下側見切り材４２（階下側見切り部）、段鼻見切り材４３、階上側被覆部材４４、及び階下側被覆部材４５と、各２個の横見切り材４６，４６、第１の縦見切り材４７，４７、及び第２の縦見切り材４８，４８とを備える。図２では、横見切り材４６〜第２の縦見切り材４８の図示を省略している。
階上側見切り材４１及び階下側見切り材４２は、平面視Ｌ字状のコーナー部材４０１を構成している。階上側被覆部材４４及び階下側被覆部材４５は、平面視Ｌ字状の被覆部材４０２を構成している。
コーナー部材４０１、段鼻見切り材４３、及び被覆部材４０２は、躯体３と踏板１５１及び蹴込板１５２夫々との境界部分を覆う。
横見切り材４６、第１の縦見切り材４７、及び第２の縦見切り材４８は、躯体３と、踏板１４１及び蹴込板１４２（又は踏板１３１及び蹴込板１３２）夫々との境界部分を覆う。
【００３４】
まず、図１及び図２と次の図３〜図９とを参照しつつ、コーナー部材４０１、段鼻見切り材４３、及び被覆部材４０２について説明する。
図３は、踏板１５１に係る見切りを略示する斜視図である。
図４は、踏板１５１と段鼻見切り材４３との位置関係を示す斜視図である。図４は、図３に示すコーナー部材４０１を省略したものである。
図５は、階上側見切り材４１及び階下側見切り材４２の構成を略示する斜視図である。
図６は、階上側見切り材４１の構成を略示する断面図である。
図７は、段鼻見切り材４３の構成を略示する斜視図である。
図８は、被覆部材４０２を構成する階上側被覆部材４４及び階下側被覆部材４５を略示する斜視図である。
図９は、被覆部材４０２の準備に必要な板状部材５０２の構成を略示する断面図である。
【００３５】
まず、コーナー部材４０１について説明する。
コーナー部材４０１の階上側見切り材４１は、左右方向に長い棒状をなす（図３及び図５参照）。階上側見切り材４１の右端部以外の断面形状は矩形状である。階上側見切り材４１の前側面の左右方向の長さは後側面よりも短い。階上側見切り材４１の右端面は、階上側見切り材４１の前側面及び後側面に対して45°に傾斜する傾斜面である。
【００３６】
階上側見切り材４１は概ね化粧されている（図６参照）。本実施の形態の階上側見切り材４１は、階上側見切り材４１の本体４１１に１枚の化粧シート４１２を周方向に巻き付けることによって化粧してなる。階上側見切り材４１の上側面及び前後両側面は化粧シート４１２によって継ぎ目なく覆われているが、下側面には化粧シート４１２の周縁部が配されており、部分的に本体４１１が露出している。図６では、本体４１１及び化粧シート４１２が分かり易いように、両者を離隔させて記載してあるが、実際には両者は密着している。階上側見切り材４１の前後両端面は化粧されていない。
【００３７】
階下側見切り材４２は、前後方向に長い棒状をなす（図３及び図５参照）。階下側見切り材４２の後端部以外の断面形状は矩形状である。階下側見切り材４２の後端面は、階下側見切り材４２の左側面及び右側面に対して45°に傾斜する傾斜面である。階下側見切り材４２の左側面の前後方向の長さは右側面よりも短い。階下側見切り材４２の上下方向の長さ（及び左右方向の長さ）は、階上側見切り材４１の上下方向の長さ（及び前後方向の長さ）に等しい。また、階下側見切り材４２の左右方向の長さは、段鼻１５３の接触端面１５ａの左右方向の長さに等しい。階上側見切り材４１の右端面及び階下側見切り材４２の後端面は合同の矩形状をなす。
【００３８】
階下側見切り材４２は概ね化粧されている（図５参照）。階下側見切り材４２は、階上側見切り材４１と同様に、階下側見切り材４２の本体４２１に１枚の化粧シート４２２を周方向に巻き付けることによって化粧してある。即ち、階下側見切り材４２の上側面及び左右両側面は化粧シート４２２によって継ぎ目なく覆われているが、下側面は部分的に本体４２１が露出している。また、階下側見切り材４２の前端面には、シート状の化粧部材４２３が貼り付けてある。
【００３９】
コーナー部材４０１は、階上側見切り材４１の右端面と階下側見切り材４２の後端面とを留継ぎ状に接触させることによって、階上側見切り材４１と階下側見切り材４２とをＬ字状に突き合わせ、更に接合（例えば接着）してなる。即ち、コーナー部材４０１は、階上側見切り材４１と階下側見切り材４２とをＬ字状に一体的に有する。
コーナー部材４０１において、階上側見切り材４１と階下側見切り材４２との突き合わせ部分は化粧されている。何故ならば、化粧されていない階上側見切り材４１の右端面と階下側見切り材４２の後端面とが、両者の接触によって目隠しされるからである。
【００４０】
段鼻見切り材４３は、上下方向に長い棒状をなす（図３及び図７参照）。段鼻見切り材４３の断面形状は矩形状である。段鼻見切り材４３の前後方向の長さ（及び左右方向の長さ）は、階下側見切り材４２の上下方向の長さ（及び左右方向の長さ）に等しい。
段鼻見切り材４３は概ね化粧されている。段鼻見切り材４３は、階上側見切り材４１と同様に、段鼻見切り材４３の本体に１枚の化粧シートを周方向に巻き付けることによって化粧してある。即ち、段鼻見切り材４３の右側面及び前後両側面は化粧シートによって継ぎ目なく覆われているが、左側面は部分的に本体が露出している。
【００４１】
階上側被覆部材４４は、上下左右方向に延びる矩形板状をなす（図２及び図８参照）。階上側被覆部材４４の厚さ（前後方向の長さ）は、階上側見切り材４１の前後方向の長さ以下である。
階上側被覆部材４４の少なくとも後面は、化粧シートによって化粧されている。
【００４２】
階下側被覆部材４５は、上下前後方向に延びる矩形板状をなす（図２及び図８参照）。階下側被覆部材４５の左側面の前後方向の長さは右側面よりも短い。階下側被覆部材４５の後端面は、階下側被覆部材４５の左右両端面に亘って湾曲する凸状の曲面である。階下側被覆部材４５の上下方向の長さは階上側被覆部材４４と同じである。後端部を除く階下側被覆部材４５の厚さは階上側被覆部材４４と同じである。
階下側被覆部材４５の少なくとも右面及び後端面は、化粧シートによって化粧されている。
【００４３】
被覆部材４０２は、階下側被覆部材４５の右端面と階上側被覆部材４４の左面における最後端部とを芋継ぎ状に接触させることによって、階下側被覆部材４５と階下側見切り材４２とをＬ字状に突き合わせてなる。
被覆部材４０２において、階上側見切り材４１と階下側見切り材４２との突き合わせ部分は、Ｌ字の外側の面が全面的に化粧されている。
なお、被覆部材４０２は、階上側見切り材４１の前面における最右端部と階下側見切り材４２の後端部とを突き合わせて接合してなる構成でもよい。この場合には、階上側見切り材４１の右端面を化粧しておく必要がある。
【００４４】
次に、コーナー部材４０１及び段鼻見切り材４３の準備と階段１への配置とについて説明する。
施工者は、コーナー部材４０１を、図５に破線で示すＬ字状部材５０１から得る。Ｌ字状部材５０１は、棒状部材５１，５２（棒状部）を有する。また、施工者は、段鼻見切り材４３を、図７に破線で示す棒状部材５３から得る。
棒状部材５１は、階上側見切り材４１と同一の構成であるが、棒状部材５１は、階上側見切り材４１より長い。棒状部材５２（及び棒状部材５３）は、階下側見切り材４２（及び段鼻見切り材４３）と同一の構成であるが、棒状部材５２（及び棒状部材５３）は、階下側見切り材４２（及び段鼻見切り材４３）より長い。
【００４５】
棒状部材５１，５２夫々は、角材に化粧シートを巻き付け、角材の一端部を45°に留め切りすることによって容易に得られる。棒状部材５３は、角材に化粧シートを巻き付けたものである。角材及び化粧シートは棒状部材５１〜５３間で共通化されていることが望ましい。
棒状部材５１〜５３は工場で容易に大量生産することができる。従って、これらは安価に入手することが可能である。
Ｌ字状部材５０１は、コーナー部材４０１と同様に、棒状部材５１，５２をＬ字状に突き合わせ、更に接合してなる。Ｌ字状部材５０１は工場で製造されたものである。故に、施工者が施工現場で棒状部材５１，５２を突き合わせて接合する必要はない。なお、施工者が施工現場で棒状部材５１，５２からＬ字状部材５０１を組み立ててもよい。
【００４６】
施工者は、Ｌ字状部材５０１を構成する棒状部材５１，５２夫々を、階段１の寸法に応じて切断（長さカット）する。また、施工者は、切断後の棒状部材５２の前端面に、化粧部材４２３を貼り付ける。この結果、施工者は、階上側見切り材４１及び階下側見切り材４２を有するコーナー部材４０１を得る。
また、施工者は、棒状部材５３を、階段１の寸法に応じて切断（長さカット）することによって、段鼻見切り材４３を得る。なお、棒状部材５１（又は棒状部材５２）が十分に長ければ、施工者が棒状部材５１（又は棒状部材５２）を切断した残部を棒状部材５３として利用することが可能である。
【００４７】
コーナー部材４０１を得た施工者は、これを階段１に配置する。このとき、施工者は、コーナー部材４０１のＬ字の内側を出隅３１に接触させて、コーナー部材４０１を踏板１５１の上面に載置する。更に詳細には、施工者は、階上側見切り材４１を出隅３１と蹴込板１６２側との間に配し、階上側見切り材４１の前側面（及び下側面）を後面３ｂ（及び踏板１５１の上面）に接触させて、階上側見切り材４１で、後面３ｂと踏板１５１の上面との境界部分を覆う。また、施工者は、階下側見切り材４２を出隅３１と段鼻１５３との間に配し、階下側見切り材４２の左側面（及び下側面）を右面３ａ（及び踏板１５１の上面）に接触させて、階下側見切り材４２で、右面３ａと踏板１５１の上面との境界部分を覆う。本実施の形態では、コーナー部材４０１は、躯体３と踏板１５１の踏面との境界部分を覆う。
【００４８】
階下側見切り材４２の前端部は、段鼻１５３の接触端面１５ａの上側に配されて、接触端面１５ａよりも前側に突出する。つまり、階下側見切り材４２の前端部は階下側見切り材４２の突出部である。階下側見切り材４２の接触端面１５ａからの突出長さは、段鼻見切り材４３の前後方向の長さに等しい。化粧部材４２３は、階下側見切り材４２の前端面、即ち、階下側見切り材４２の突出部の突出方向端面を化粧する。
【００４９】
段鼻見切り材４３を得た施工者は、これを階段１に配置する。このとき、施工者は、段鼻見切り材４３の上端面を階下側見切り材４２の突出部に下側からＬ字状に突き合わせ、段鼻見切り材４３の段鼻１５３の接触端面１５ａ（及び右面３ａ）に段鼻見切り材４３の後側面（及び左側面）を接触させる。この結果、段鼻見切り材４３は階下側見切り材４２の突出部から段鼻１５３よりも下方へ垂下し、段鼻１５３と右面３ａとの境界部分を覆う。このとき、段鼻見切り材４３の下端面は踏板１４１の上面に接触する。
段鼻見切り材４３は接触端面１５ａに接触するが、非接触面１５ｂには接触しない。
【００５０】
本実施の形態では、階下側見切り材４２及び段鼻見切り材４３は横勝ちに配される。しかしながら、コーナー構造２１は、縦勝ちに配された階下側見切り材及び段鼻見切り材を備えていてもよい。この場合、段鼻見切り材の上端面に、例えばシート状の化粧部材が貼り付けてあればよい。
また、階下側見切り材４２の前端部及び段鼻見切り材４３の上端部夫々が施工現場にて斜め45°に切断され、階下側見切り材４２及び段鼻見切り材４３が90°に留継ぎされてもよい。この場合、化粧部材４２３は不要なので、部品点数が減る。
【００５１】
次に、被覆部材４０２の準備と階段１への配置とについて説明する。
施工者は、被覆部材４０２を、図８及び図９に示す板状部材５０２から得る（図８には破線で図示）。
板状部材５０２は矩形平板状をなす。板状部材５０２の短手方向の一端面は、階下側被覆部材４５の後端面と同様に湾曲している。板状部材５０２の長辺部の長さは、階上側被覆部材４４（又は階下側被覆部材４５）の上下方向の長さよりも長い。板状部材５０２の短辺部の長さは、階上側被覆部材４４の左右方向の長さと階下側被覆部材４５の前後方向の長さとの和よりも長い。
【００５２】
板状部材５０２は、矩形平板状の本体５０３に１枚の化粧シート５０４を巻き付けることによって化粧してなる。図９では、本体５０３及び化粧シート５０４が分かり易いように、両者を離隔させて記載してあるが、実際には両者は密着している。本体５０３の一面及び他面は、長手方向の長さは同じであるが、短手方向の長さは一面（図９における向かって右側の面）の方が短い。
化粧シート５０４は、本体５０３の一面と短手方向両端面とを夫々全面的に被覆している。本体５０３の他面には、化粧シート５０４の周縁部が配されており、部分的に本体５０３が露出している。このような板状部材５０２は、工場で容易に大量生産することができるので、安価に入手することが可能である。
本体５０３は、棒状部材５１〜５３を構成する角材と共通の材料（例えば木材又は木質材等）を用いてなることが望ましい。化粧シート５０４は棒状部材５１〜５３を構成する化粧シートと共通化されていることが望ましい。
【００５３】
施工者は、まず、板状部材５０２を２分割する。図８には、板状部材５０２が短手方向に２分割された分割板状部材５４，５５が破線で示されている。分割板状部材５４は板状部材５０２の短手方向の他端面を含んでおり、分割板状部材５５は板状部材５０２の短手方向の一端面を含んでいる。
施工者は、分割板状部材５４を階段１の寸法に応じて更に切断（長さカット及び幅カット）して、階上側被覆部材４４を得る。また、施工者は、分割板状部材５５を階段１の寸法に応じて更に切断（長さカット及び幅カット）して、階下側被覆部材４５を得る。即ち、施工者は、被覆部材４０２を構成する２部材を得る。
【００５４】
本実施の形態では、施工者は、板状部材５０２から階上側被覆部材４４及び階下側被覆部材４５を得ているが、これに限定されず、２枚の相異なる板状部材から階上側被覆部材４４及び階下側被覆部材４５を個別に得てもよい。
【００５５】
階上側被覆部材４４及び階下側被覆部材４５を得た施工者は、これらを階段１に配置する。このとき、施工者は、階上側被覆部材４４を、出隅３１と蹴込板１５２との間に配し、階上側被覆部材４４で、後面３ｂと踏板１５１の下面及び蹴込板１５２夫々との境界部分を覆うと共に、階上側被覆部材４４の右端部と階下側被覆部材４５の左面における最後端部とを突き合わせ、階下側被覆部材４５を出隅３１と段鼻見切り材４３との間に配し、右面３ａと踏板１５１の下面との境界部分を覆う。このために、施工者は、階上側被覆部材４４の左端部（及び前面）を蹴込板１５２（及び後面３ｂ）に接触させると共に、階下側被覆部材４５の左面（及び前端面）を右面３ａ（及び段鼻見切り材４３の後側面）に接触させる。このとき、階上側被覆部材４４及び階下側被覆部材４５夫々の上端面（及び下端面）は踏板１５１の下面（及び踏板１４１の上面）に接触する。
【００５６】
以上の結果、階上側被覆部材４４及び階下側被覆部材４５を用いて被覆部材４０２が構成される。即ち、施工者は、被覆部材４０２を段鼻見切り材４３と蹴込板１５２との間に配し、被覆部材４０２で、踏板１５１の下面及び蹴込板１５２夫々と躯体３との境界部分を覆う。
【００５７】
階段１に配されたコーナー部材４０１及び被覆部材４０２夫々は、使用者の目に付き易い箇所が全体的に化粧されている。故に、コーナー部材４０１及び被覆部材４０２夫々を２部材で構成したせいで階段１の美観が損なわれてしまうことが抑制されている。
なお、階段１は、蹴込板１５２が右面３ａに隣接している構成でもよい。この場合、被覆部材４０２は階下側被覆部材４５を有していればよい。
階上側見切り材４１〜階下側被覆部材４５を階段１に配置する順番は、この順番に限定されない。
【００５８】
次に、図１と次の図１０〜図１３とを参照しつつ、踏板１４１と蹴込板１４２とに係る横見切り材４６、第１の縦見切り材４７、及び第２の縦見切り材４８について説明する。
図１０は、踏板１３１に係る見切りを略示する斜視図である。
図１１は、横見切り材４６の構成を略示する斜視図である。
図１２は、第１の縦見切り材４７の構成を略示する斜視図である。
図１３は、第２の縦見切り材４８の構成を略示する斜視図である。
【００５９】
横見切り材４６は前後方向に長い棒状部材である（図１０及び図１１参照）。施工者は、図１１に破線で示す棒状部材５６を階段１の寸法に応じて長さカットすることによって、横見切り材４６を得る。
第１の縦見切り材４７は上下方向に長い棒状部材である（図１０及び図１２参照）。施工者は、図１２に破線で示す棒状部材５７を階段１の寸法に応じて長さカットすることによって、第１の縦見切り材４７を得る。
【００６０】
棒状部材５６，５７夫々は、化粧シートが巻きつけられた角材の一端部を45°に留め切りしたものである。棒状部材５６の留め切り部分は横見切り材４６の前端部になり、棒状部材５７の留め切り部分は第１の縦見切り材４７の上端部になる。
横見切り材４６及び第１の縦見切り材４７夫々の左右方向の長さは、段鼻見切り材４３の左右方向の長さに等しい。また、横見切り材４６の上下方向の長さ及び第１の縦見切り材４７の前後方向の長さは、夫々段鼻見切り材４３の前後方向の長さに等しい。
棒状部材５６，５７夫々は工場で大量生産される。棒状部材５６，５７夫々を構成する角材及び化粧シートは、棒状部材５１〜５３を構成する角材及び化粧シートと共通化されていることが望ましい。
【００６１】
横見切り材４６を得た施工者は、踏板１４１の段鼻１４３から踏板１５１に係る段鼻見切り材４３（即ち段鼻１５３から垂下している段鼻見切り材４３）に亘って、横見切り材４６を踏板１４１の上面に載置する。このとき、横見切り材４６の左面（及び後端面）は右面３ａ（及び段鼻見切り材４３の前側面）に接触する。この結果、横見切り材４６は、踏板１４１の上面と右面３ａとの境界部分を覆う。また、横見切り材４６の留め切り部分は段鼻１４３の先端面から前側に突出している。
【００６２】
第１の縦見切り材４７を得た施工者は、第１の縦見切り材４７の留め切り部分を横見切り材４６の留め切り部分に留継ぎし、第１の縦見切り材４７の後側面（及び左側面）を段鼻１４３の先端面（及び右面３ａ）に接触させ、且つ、段鼻１４３から踏板１３１に亘って垂下させる。この結果、第１の縦見切り材４７は、段鼻１４３と右面３ａとの境界部分を覆う。このとき、第１の縦見切り材４７の下端面は踏板１３１の上面に接触する。
なお、棒状部材５６，５７は、工場出荷時に留継ぎして接合してあってもよい。
【００６３】
第２の縦見切り材４８は上下前後方向に延びる矩形板状をなす（図１０及び図１３参照）。施工者は、図１３に破線で示す板状部材５８を階段１の寸法に応じて長さカット及び幅カットすることによって、第２の縦見切り材４８を得る。板状部材５８は、板状部材５０２と同じ構成である。板状部材５０２の湾曲した端面は、第２の縦見切り材４８の後端面になる。なお、第２の縦見切り材４８の後端面は、左右両側面に直交する平坦面であってもよい。
【００６４】
第２の縦見切り材４８を得た施工者は、第２の縦見切り材４８を、踏板１３１，１４１、蹴込板１４２、及び第１の縦見切り材４７に囲繞された空間に嵌め込み、第２の縦見切り材４８の左面を右面３ａに接触させる。この結果、第２の縦見切り材４８は、第１の縦見切り材４７から蹴込板１４２に亘って配され、踏板１４１の下面及び蹴込板１４２と右面３ａとの境界部分を覆う。
【００６５】
踏板１３１と蹴込板１３２とに係る横見切り材４６、第１の縦見切り材４７、及び第２の縦見切り材４８は、踏板１４１と蹴込板１４２とに係る横見切り材４６、第１の縦見切り材４７、及び第２の縦見切り材４８に対応する。ただし、横見切り材４６の後端面は、踏板１４１に係る第１の縦見切り材４７に接触する。
なお、横見切り材４６〜第２の縦見切り材４８を階段１に配置する順番は、この順番に限定されない。
【００６６】
ところで、踏板１３１に係る第２の縦見切り材４８は、踏板１６１に係る第２の縦見切り材４８に対応する。階上側見切り材４１の左端面は、踏板１６１に係る第２の縦見切り材４８の右側面に接触する。つまり、階上側見切り材４１は、出隅３１と踏板１６１に係る第２の縦見切り材４８との間に配される。
【００６７】
次に、躯体３と、踏板１１１及び蹴込板１１２夫々との境界部分について述べる。この部分は、階段１の巾木構造６が覆っている。躯体３と、踏板１２１，１９１及び蹴込板１２２，１９２夫々との境界部分は、各々巾木構造６と共通のものが覆っている。図２における巾木構造６の図示は省略している。
【００６８】
巾木構造６は、横巾木６１と第１の縦巾木６２１及び第２の縦巾木６２２とを備える。横巾木６１と第１及び第２の縦巾木６２１，６２２夫々は、例えば廊下に取り付けられる巾木と共通の部材を切断して形成されたものである。
なお、横巾木６１、第１の縦巾木６２１、及び第２の縦巾木６２２と、横見切り材４６、第１の縦見切り材４７、及び第２の縦見切り材４８とが共通の構成であってもよい。
或いは、巾木構造６は、従来の階段の巾木構造（例えば特許文献１に記載のもの）と同様の構成でもよい。ただし、巾木構造６は、第１及び第２の縦巾木６２１，６２２と階下側の横巾木６１とが縦勝ちに配されている。
【００６９】
本実施の形態のＬ字状部材５０１は２部材からなるが、コーナー構造２１は、Ｌ字状部材５０１に替えて、一体成形されたＬ字状部材を備える構成でもよい。とはいえ、Ｌ字状部材５０１は、一体成形されたＬ字状部材に比べて、大量生産及び部品点数の削減等の点で有利である。何故ならば、Ｌ字状部材５０１を構成する棒状部材５１，５２は、化粧シートが巻きつけられた角材という汎用性が高い部材から容易に得ることができるのに対し、一体成形されたＬ字状部材は汎用性が低く、しかも単純な角材に比べて化粧が困難だからである。
【００７０】
なお、棒状部材５１は、工場出荷時点で階上側見切り材４１と同一の長さであってもよい。しかしながら、工場出荷時点では棒状部材５１は階上側見切り材４１よりも長い方が好ましい。何故ならば、施工者が施工現場で階段１に合わせて棒状部材５１を切断する方が、必要な長さの階上側見切り材４１を確実に得ることができるからである。しかも、棒状部材５１の切断は、棒状部材５１の長手方向に対して垂直な切断であるので、容易に実行することができる。同じ理由で、棒状部材５２，５３も階下側見切り材４２及び段鼻見切り材４３よりも長い方が好ましい。
また、Ｌ字状部材５０１は棒状部材５１，５２を90°に留継ぎしてなるが、コーナー構造２１は、Ｌ字状部材５０１に替えて、夫々化粧シートが巻きつけられた２本の角材を90°に芋継ぎしてなるＬ字状部材を備える構成でもよい。ただし、芋継ぎによるＬ字状部材の場合、角材の化粧されていない端面がＬ字の外側に露出してしまうので、この端面に、例えば化粧シートを追加する必要がある。
【００７１】
以上のようなコーナー構造２１，２２及び巾木構造６，６，…は、階段１の意匠性の向上、及び、踏板１１１〜１９１及び蹴込板１１２〜１９２夫々との境界部分における躯体３の保護等に寄与する。しかも、従来のように出隅３１，３２夫々に２個ずつ横巾木を配する場合に比べて、コーナー部材４０１を１個ずつ配すればよいので、施工性を向上させることができる。
コーナー構造２１を構成する各部は、Ｌ字状の部材の棒状部分、棒状の部材、又は板状の部材に対して施工者が単純な加工を施せば、階段１の寸法に対応する物を容易に得ることができる。また、コーナー構造２１を施工する際に、階段１を構成する各部又は躯体３に複雑な加工（例えば欠き込み加工又は留め加工等）を施す必要がない。以上の結果、コーナー構造２１は、施工者が非熟練工であっても容易に施工することができる。
コーナー構造２１，２２及び巾木構造６，６，…は、使用者の目に付き易い箇所が全体的に化粧されているので、階段１の美観を向上させることができる。
【００７２】
実施の形態  ２．
図１４は、本発明の実施の形態２に係る階段１のコーナー構造２１における出隅３１近傍の構成を略示する斜視図である。
図１５は、踏板１５１と段鼻見切り材４３との位置関係を示す斜視図である。
図１４及び図１５は、実施の形態１の図３及び図４に対応する。
本実施の形態のコーナー構造２１は、実施の形態１のコーナー構造２１と略同様の構成である。以下では、実施の形態１との差異について説明し、その他、実施の形態１に対応する部分には同一符号を付してそれらの説明を省略する。
【００７３】
本実施の形態の踏板１５１においては、段鼻１５３の先端面が全面的に蹴込板１５２に平行であり、接触端面１５ａを有していない。即ち、踏板１５１は、踏板１５１に対応する従来の踏板と同様の形状である。故に、実施の形態２のコーナー構造２１には、踏板１５１に対する加工の手間を省けるという利点がある。
この結果、段鼻１５３の先端面の左辺部と段鼻見切り材４３の後側面の左辺部とが線状に接触するものの、段鼻１５３の先端面と段鼻見切り材４３の後側面とが接触することはない。
【００７４】
実施の形態  ３．
図１６は、本発明の実施の形態３に係る階段１のコーナー構造２１における出隅３１近傍の構成を略示する斜視図である。図１６は実施の形態１の図３に対応する。
図１７は、階上側見切り材４１及び階下側見切り材４２の構成を略示する斜視図である。
図１８は、化粧部材４２４の構成を略示する平面図である。
本実施の形態のコーナー構造２１は、実施の形態１のコーナー構造２１と略同様の構成である。以下では、実施の形態１との差異について説明し、その他、実施の形態１に対応する部分には同一符号を付してそれらの説明を省略する。
【００７５】
本実施の形態のコーナー構造２１は、実施の形態１の化粧部材４２３に替えて、化粧部材４２４を備える。
化粧部材４２３は階下側見切り材４２の前端面に貼り付けるシート状をなすが、化粧部材４２４は階下側見切り材４２の前端面に被せるキャップ状をなす。
化粧部材４２４は、化粧部４２ａ及び凸部４２ｂを有する。
化粧部４２ａは、階下側見切り材４２の前端面を化粧する。化粧部４２ａの形状は、上下方向両端面が中心角90°の扇形であり、左側面及び後側面が平坦面である柱状をなす。化粧部４２ａの上下方向の長さは階下側見切り材４２の上下方向の長さに等しい。
凸部４２ｂは、化粧部４２ａの後面に後向きに突設してある。
なお、化粧部４２ａの形状は、角柱状又は球状等であってもよい。
【００７６】
階下側見切り材４２の前端面には、凹部４２５が設けられている。凹部４２５は、階下側見切り材４２の左側面に設けられている溝４２６の、階下側見切り材４２の前端面における開口に相当する。溝４２６は階下側見切り材４２の長さ方向の両端面に亘る。溝４２６の深さ方向は右方向である。
施工者は、凹部４２５に凸部４２ｂを嵌め込むことによって、化粧部材４２４を階下側見切り材４２に取り付ける。この結果、階下側見切り材４２の非化粧部分である前端面が化粧される。
【００７７】
棒状部材５２の左側面には、溝４２６に対応する溝が設けられている。この溝は、棒状部材５２の前後両端面に亘る。故に、棒状部材５２をどこで切断しても、階下側見切り材４２の前端面に、凹部４２５が設けられる。
一方、階上側見切り材４１の左端面にも凹部が設けられている。このために、階上側見切り材４１の前側面には溝４１３が設けられている。棒状部材５１の前側面には、溝４１３に対応する溝が設けられており、棒状部材５１をどこで切断しても、階上側見切り材４１の左端面に凹部が設けられる。
【００７８】
コーナー構造２１だけを見れば、階上側見切り材４１の凹部は無用の物である。しかしながら、本実施の形態の階上側見切り材４１及び階下側見切り材４２、延いてはコーナー部材４０１には、右廻りの階段に配すべきコーナー構造を構成する部品として流用することができる、という利点がある。
【００７９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、階段１のコーナー構造２１，２２に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８０】
１      階段
１１１〜１９１  踏板
１１２〜１９２  蹴込板
１１３〜１９３  段鼻
１４ａ，１５ａ  接触端面
１４ｂ，１５ｂ  非接触面
２１，２２      コーナー構造（階段のコーナー構造）
３      躯体
３１，３２  出隅
４０１  コーナー部材
４０２  被覆部材
４１    階上側見切り材（階上側見切り部）
４２    階下側見切り材（階下側見切り部）
４２３，４２４  化粧部材
４３    段鼻見切り材
４４    階上側被覆部材
４５    階下側被覆部材
５０１  Ｌ字状部材
５１，５２  棒状部材（棒状部）
【図１】
0006623016.tif 000002
【図２】
0006623016.tif 000003
【図３】
0006623016.tif 000004
【図４】
0006623016.tif 000005
【図５】
0006623016.tif 000006
【図６】
0006623016.tif 000007
【図７】
0006623016.tif 000008
【図８】
0006623016.tif 000009
【図９】
0006623016.tif 000010
【図１０】
0006623016.tif 000011
【図１１】
0006623016.tif 000012
【図１２】
0006623016.tif 000013
【図１３】
0006623016.tif 000014
【図１４】
0006623016.tif 000015
【図１５】
0006623016.tif 000016
【図１６】
0006623016.tif 000017
【図１７】
0006623016.tif 000018
【図１８】
0006623016.tif 000019